(57)【要約】      （修正有）【課題】音源情報、光ディスクＣＤ・ＤＶＤ・ＢＤ媒体（以下光ディスク媒体と言う）を識別する事が可能になるレーベルシールを作成する点字板とガイド板を含んだシール用点字打刻機を提供する。【解決手段】円盤状の板材Ａ１に凹部８個を１ブロック３とする円状に３０ブロック有する点字板と、円盤状の板材に打刻部分を誘導する円状に３０個切り取った長方形を有するガイド板で形成されており、点字板とガイド板の間にはさみ打刻するシールを用いる事で、漢点字または点字を自由に打刻できる。板材Ａ１は、円形にカットする部分１と打刻する点２と漢点字を現すための１ブロック３に点字板とガイド板のずれを防ぐための留め具を差し込む穴４を切り取り、シールのずれを防ぐ留め具を差し込む突起物を差し込むための穴５を切り取る。【選択図】図１
0003219251.tif 000002
【実用新案登録請求の範囲】
【請求項１】
板材を円形にカットし、片面に於いてその外周より内側に、横２点縦４点計８点（以下１ブロックと言う）の凹部（深さ約１ｍｍ以上）を有する点字板にあって、その１ブロックは３６０度６０ブロック配置され、１ブロックは（円形にカットされた）板材の中心に向き、８点で使用する場合、１の点は左最上部とし、５の点は右最上部となり、漢点字を現すことが可能であり、６点で使用する場合、１の点は左上部より１つ下の点とし、４の点は右上部より１つ下の点として現すことが可能なことを特徴とするシール用点字打刻機。
【請求項２】
請求項１の１ブロックを明確にする窓枠を、凹部に合わせて３６０度６０個長方形に切り抜いた前記１の点字板と同サイズの円形の板を重ね合わせる事で８点の打刻位置を誘導するガイド板を併せ持つことを特徴とする請求項１のシール用点字打刻機。
【請求項３】
請求項１同様に、１ブロックを明確にする窓枠を、凹部に合わせて３６０度６０個長方形に切り抜いた前記１の点字板と同サイズの円形の板を重ね合わせる事で６点の打刻位置を誘導するガイド板を併せ持つことを特徴とする請求項１のシール用点字打刻機。
【請求項４】
請求項２もしくは３のガイド板と請求項１の双方が１か所で留められており、散乱せず左右にスライドさせること特徴とする請求項１・２および請求項１・３のシール用点字打刻機。
【請求項５】
請求項１の点字板とガイド板に合う同サイズの円形にハーフカットまたはカットしたシールを用い、光ディスク媒体の表面全体に貼り付け、捲れを防ぐことが出来る請求項１〜４に記載のシール用点字打刻機。
【考案の詳細な説明】
【技術分野】
【０００１】  本考案は、光ディスク媒体レーベルシールの外周縁付近に沿って打てるシール用点字打刻機に関する。
【背景技術】
【０００２】  近年、情報を得る手段として、光ディスク媒体に音源を収録した物を利用することが増えてきた中、視覚に障がいを持つ者が光ディスク媒体の表面に印字されている文字を認識することは難しく、点字を用いて、シールを光ディスク媒体に貼り付けて使用しても、いずれ端から捲れ上がり、粘着部分が光ディスク読み取り装置に付着することで故障の原因となることも有り、今まで個人的に使用する範囲内でしか使用されていなかった。それ故に、市販されているもしくは、団体から届けられる光ディスク媒体には、視覚に障害をもつ者にはケースへの出し入れがしにくいとか、判別しにくいとかの難点がある物である。【０００３】  例えば、光ディスク媒体が複数枚ケースから外れており、元のケースに戻す場合、光ディスク媒体とケースが一致しているかわからない事がある。【０００４】  それを解決する特許文献１には、光ディスク媒体のレーベル面に点字の凸部が形成されることを特徴とした、ディスク媒体及びこのディスク媒体に識別情報を記録する光ディスク装置を発明している。
光ディスク媒体の外周より内側に横一列（一線上）に４か所の点字を配置することが出来る様になっている方法が提案されている。
【先行技術文献】
【特許文献】
【０００５】
【特許文献１】特許出願登録  第２００４−１７１６６５号  公報
【考案の概要】
【考案が解決しようとする課題】
【０００６】  特許文献１の様に、短い文字を点字で現し、４か所に刻印するだけでは情報内容が他の光ディスク媒体と重複する事も考えられる。また、回転時のバランスを保つために四方に点字を配置している事で短い情報しか表現できない。【０００７】  本考案は、より多くの情報を点字で現すために円盤状のシールの外周縁内側に、点字を左から読み取れるシールに漢点字および点字を打刻する用具を提案することで、上記の課題を解決する為の漢点字と点字を打刻できる凹み板（点字板という）、点字位置を示す補助板（ガイド板という）、繰り返し使用しても読み取り装置の故障の原因を防ぐシールを提供するものである。
【課題を解決するための手段】
【０００８】  本考案は、上記の課題を解決するために、下記のシール用点字打刻機を提供するものである。
（１）板材を円形にカットし、片面に於いてその外周より内側に、横２点縦４点計８点（以下１ブロックと言う）の凹部（深さ約１ｍｍ以上）を有する点字板にあって、その１ブロックは３６０度６０ブロック配置され、１ブロックは（円形にカットされた）板材の中心に向き、８点で使用する場合、１の点は左最上部とし、５の点は右最上部となり、漢点字を現すことが可能であり、６点で使用する場合、１の点は左上部より１つ下の点とし、４の点は右上部より１つ下の点として現すことが可能なことを特徴とするシール用点字打刻機。
（２）請求項１の１ブロックを明確にする窓枠を、凹部に合わせて３６０度６０個長方形に切り抜いた前記１の点字板と同サイズの円形の板を重ね合わせる事で８点の打刻位置を誘導するガイド板を併せ持つことを特徴とする請求項１のシール用点字打刻機。
（３）請求項１同様に、１ブロックを明確にする窓枠を、凹部に合わせて３６０度６０個長方形に切り抜いた前記１の点字板と同サイズの円形の板を重ね合わせる事で６点の打刻位置を誘導するガイド板を併せ持つことを特徴とする請求項１のシール用点字打刻機。
（４）請求項２もしくは３のガイド板と請求項１の双方が１か所で留められており、散乱せず左右にスライドさせること特徴とする請求項１・２および請求項１・３のシール用点字打刻機。
（５）請求項１の点字板とガイド板に合う同サイズの円形にハーフカットまたはカットしたシールを用い、光ディスク媒体の表面全体に貼り付け、捲れを防ぐことが出来る請求項１〜４に記載のシール用点字打刻機。
【考案の効果】
【０００９】  本考案によれば、漢点字を使用する視覚に障がいを持つ者に８点の漢点字と６点字を使用することができ、尚且つ、区別しにくい光ディスク媒体を認識しやすく一人で使用できるシール用点字打刻機を提供することが出来る。
【図面の簡単な説明】
【００１０】
【図１】本考案のシール用点字打刻機の凹部の点字板の製造方法を示している。
【図２】本考案のシール用点字打刻機のガイド板の製造方法を示している。
【図３】別の本考案のシール用点字打刻機のガイド板の製造方法を示している。
【図４】本考案のシール用点字打刻機の合体時を示している。
【図５】別の本考案のシール用点字打刻機の合体時を示している。
【図６】別の本考案のシール用点字打刻機のレーベルシールのハーフカットまたはカット図を示している。
【考案を実施するための形態】
【００１１】  本考案の板材は、ある程度の強度があり、点字を打つにあたり、凹部の摩耗を極力影響のない、また、穴を開ける様な破損が少ない３ミリから５ミリの厚み板で、加工するにはレーザー光線を当てても有害物質の出ない物、もしくは、型抜きしても歪みの出ない、１枚の板材から加工されるものが好ましい。
【００１２】  本考案の点字板部分は１点の深さが約１ｍｍ以上であり、８点の１ブロックを円盤状の外周より内側に６０ブロック配置されている。
【００１３】  本考案のガイド板部分は８点の１ブロックを誘導するための長方形の切り抜きを円盤状の外周より内側に６０個配置されている。
【００１３】  別の本考案のガイド板部分は６点の１ブロックを誘導するための長方形の切り抜きを円盤状の外周より内側に６０個配置されている。
【００１４】  本考案のシールは、円盤状の点字板とガイド板にはさみ、ずれを防ぐために光ディスク媒体よりも直径が約２ｍｍ短い円とその円の中央に直径約１７ｍｍの円をハーフカットまたはカットしたものである。
【００１５】  以下、本考案の実施の形態を図面に基づいて説明する。
図１は本考案のシール用点字打刻機の点字板の製作方法を示している。
板材Ａ１は、図１に示すように、円形にカットする部分１と打刻する点２と漢点字を現すための１ブロック（８点）３に点字板とガイド版のずれを防ぐための留め具を差し込む穴４を切り取り、シールのずれを防ぐ留め具を差し込む突起物を差し込むための穴５を切り取る。
【００１６】  図２は、本考案のシール用点字打刻機のガイド板の製作方法を示している。
板材Ａ２は、図２に示すように、円形にカットする部分６と打刻を誘導する長方形７と図１と図２のガイド版のずれを防ぐための留め具を差し込む穴８を切り取り、シールのずれを防ぐ留め具を差し込む突起物を固定するための穴９を切り取る。
【００１７】  図３は、別の本考案のシール用点字打刻機のガイド板の製作方法を示している。
板材Ａ３は、図３に示すように、円形にカットする部分１０と打刻を誘導する長方形１１と図１と図３のガイド版のずれを防ぐための留め具を差し込む穴１２を切り取り、シールのずれを防ぐ留め具を差し込む突起物を固定するための穴１３を切り取る。
【００１８】  図４は、本考案の８点シール用点字打刻機の点字板とガイド板の合体時を示している。
【００１９】  図５は、別の本考案の６点シール用点字打刻機の点字板とガイド板の合体時を示している。
【００２０】  図６は、本考案のシール用点字打刻機のシールの製作方法を示している。
シール１（剥離紙を持つシール材）を光ディスク媒体の直径より約２ｍｍ短い直径で外周円１４と、中心に直径約１７ｍｍの円１５をハーフカットまたはカットＢする方法を示している。
【符号の説明】
【００１９】  １：円形にカットする部分、２：打刻する点、３：１ブロック（８点）、４：留め具を差し込む穴、５：突起物を差し込むための穴、６：円形にカットする部分、７：誘導する長方形、８：ガイド版のずれを防ぐための留め具を差し込む穴、９：シールのずれを防ぐ留め具を差し込む突起物を固定するための穴、１０：円形にカットする部分、１１：誘導する長方形、１２：ガイド版のずれを防ぐための留め具を差し込む穴、１３：シールのずれを防ぐ留め具を差し込む突起物を固定するための穴、１４：外周円、１５：円、Ａ１：板材、Ａ２：板材、Ａ３：板材、Ｂ：ハーフカットまたはカット、シール１：剥離紙を持つシール材
【図１】
0003219251.tif 000003
【図２】
0003219251.tif 000004
【図３】
0003219251.tif 000005
【図４】
0003219251.tif 000006
【図５】
0003219251.tif 000007
【図６】
0003219251.tif 000008
【手続補正書】
【提出日】平成30年4月27日(2018.4.27)
【手続補正１】
【補正対象書類名】実用新案登録請求の範囲
【補正対象項目名】全文
【補正方法】変更
【補正の内容】
【実用新案登録請求の範囲】
【請求項１】
板材を円形にカットし、片面に於いてその外周より内側に、横２点縦４点計８点の凹部を有する点字板にあって、その横２点縦４点計８点は６０個配置され、横２点縦４点計８点は板材の中心に向き、８点で使用する場合、１の点は左最上部とし、５の点は右最上部となり、漢点字を現すことが可能であり、６点で使用する場合、１の点は左上部より１つ下の点とし、４の点は右上部より１つ下の点として現すことが可能なことを特徴とするシール用点字打刻機。
【請求項２】
請求項１の横２点縦４点計８点を明確にするために縦長の長方形を点字板の凹部に合わせて６０個切り抜いた前記点字板と同サイズの円形の板を重ね合わせる事で横２点縦４点計８点の打刻位置を誘導するガイド板を併せ持つことを特徴とする請求項１のシール用点字打刻機。
【請求項３】
請求項２のガイド板と請求項１の点字板が１か所で留められており、散乱せず左右にスライドさせること特徴とする請求項１・２のシール用点字打刻機。
【請求項４】
請求項１の点字板と請求項２のガイド板に合う同サイズで円形にカットしたシールを用い、光ディスク媒体の表面全体に貼り付けるためのシール用点字打刻機。
【手続補正２】
【補正対象書類名】明細書
【補正対象項目名】全文
【補正方法】変更
【補正の内容】
【考案の詳細な説明】
【技術分野】
【０００１】  本考案は、光ディスク媒体レーベルシールの外周縁付近に沿って打てるシール用点字打刻機に関する。
【背景技術】
【０００２】  近年、情報を得る手段として、光ディスク媒体に音源を収録した物を利用することが増えてきた中、視覚に障がいを持つ者が光ディスク媒体の表面に印字されている文字を認識することは難しく、点字を用いて、シールを光ディスク媒体に貼り付けて使用しても、いずれ端から捲れ上がり、粘着部分が光ディスク読み取り装置に付着することで故障の原因となることも有り、今まで個人的に使用する範囲内でしか使用されていなかった。それ故に、市販されているもしくは、団体から届けられる光ディスク媒体には、視覚に障害をもつ者にはケースへの出し入れがしにくいとか、判別しにくいとかの難点がある物である。【０００３】  例えば、光ディスク媒体が複数枚ケースから外れており、元のケースに戻す場合、光ディスク媒体とケースが一致しているかわからない事がある。【０００４】  それを解決する特許文献１には、光ディスク媒体のレーベル面に点字の凸部が形成されることを特徴とした、ディスク媒体及びこのディスク媒体に識別情報を記録する光ディスク装置を発明している。
光ディスク媒体の外周より内側に横一列に４か所の点字を配置することが出来る様になっている方法が提案されている。
【先行技術文献】
【特許文献】
【０００５】
【特許文献１】特許出願登録  第２００４−１７１６６５号  公報
【考案の概要】
【考案が解決しようとする課題】
【０００６】  特許文献１の様に、短い文字を点字で現し、４か所に刻印するだけでは情報内容が他の光ディスク媒体と重複する事も考えられる。また、回転時のバランスを保つために四方に点字を配置している事で短い情報しか表現できない。【０００７】  本考案は、より多くの情報を点字で現すために円盤状のシールの外周縁内側に、点字を左から読み取れるシールに漢点字および点字を打刻する用具を提案することで、上記の課題を解決する為の漢点字と点字を打刻できる凹み板以下点字板という、点字位置を示す補助板以下ガイド板という、繰り返し使用しても読み取り装置の故障の原因を防ぐシールを提供するものである。
【課題を解決するための手段】
【０００８】    本考案は、上記の課題を解決するために、下記のシール用点字打刻機を提供するものである。
（１）板材を円形にカットし、片面に於いてその外周より内側に、横２点縦４点計８点の凹部を有する点字板にあって、その横２点縦４点計８点は６０個配置され、横２点縦４点計８点は板材の中心に向き、８点で使用する場合、１の点は左最上部とし、５の点は右最上部となり、漢点字を現すことが可能であり、６点で使用する場合、１の点は左上部より１つ下の点とし、４の点は右上部より１つ下の点として現すことが可能なことを特徴とするシール用点字打刻機。
（２請求項１の横２点縦４点計８点を明確にするために縦長の長方形を点字板の凹部に合わせて６０個切り抜いた前記点字板と同サイズの円形の板を重ね合わせる事で横２点縦４点計８点の打刻位置を誘導するガイド板を併せ持つことを特徴とする請求項１のシール用点字打刻機。
（３）請求項２のガイド板と請求項１の点字板が１か所で留められており、散乱せず左右にスライドさせること特徴とする請求項１・２のシール用点字打刻機。
（４）請求項１の点字板と請求項２のガイド板に合う同サイズで円形にカットしたシールを用い、光ディスク媒体の表面全体に貼り付けるためのシール用点字打刻機。
【考案の効果】
【０００９】  本考案によれば、漢点字を使用する視覚に障がいを持つ者に８点の漢点字と６点字を使用することができ、尚且つ、区別しにくい光ディスク媒体を認識しやすく一人で使用できるシール用点字打刻機を提供することが出来る。
【図面の簡単な説明】
【００１０】
【図１】本考案のシール用点字打刻機の凹部の点字板の製造方法を示している。
【図２】本考案のシール用点字打刻機のガイド板の製造方法を示している。
【図３】別の本考案のシール用点字打刻機のガイド板の製造方法を示している。
【図４】本考案のシール用点字打刻機の合体時を示している。
【図５】別の本考案のシール用点字打刻機の合体時を示している。
【図６】別の本考案のシール用点字打刻機のレーべルシールのハーフカットまたはカット図を示している。
【考案を実施するための形態】
【００１１】  本考案の板材は、ある程度の強度があり、点字を打つにあたり、凹部の摩耗を極力影響のない、また、穴を開ける様な破損が少ない板で、加工するにはレーザー光線を当てても有害物質の出ない物、もしくは、型抜きしても歪みの出ない、１枚の板材から加工されるものが好ましい。
【００１２】  本考案の点字板部分は円盤状の外周より内側に６０個配置されている。
【００１３】  本考案のガイド板部分は横２点縦４点計８点を誘導するための長方形の切り抜きを円盤状の外周より内側に６０個配置されている。
【００１４】  本考案のシールは、円盤状の点字板とガイド板にはさみ、ずれを防ぐために光ディスク媒体よりも直径が短い円とその円の中央に直径１５ｍｍの円をカットしたものである。
【００１５】  以下、本考案の実施の形態を図面に基づいて説明する。
図１は本考案のシール用点字打刻機の点字板の製作方法を示している。
板材Ａ１は、図１に示すように、円形にカットする部分１と打刻する点２と漢点字を現すための８点３に点字板とガイド板のずれを防ぐための留め具を差し込む穴４を切り取り、シールのずれを防ぐ留め具を差し込む突起物を差し込むための穴５を切り取る。
【００１６】  図２は、本考案のシール用点字打刻機のガイド板の製作方法を示している。
板材Ａ２は、図２に示すように、円形にカットする部分６と打刻を誘導する長方形７と図１と図２のガイド板のずれを防ぐための留め具を差し込む穴８を切り取り、シールのずれを防ぐ留め具を差し込む突起物を固定するための穴９を切り取る。
【００１７】  図３は、別の本考案のシール用点字打刻機のガイド板の製作方法を示している。
板材Ａ３は、図３に示すように、円形にカットする部分１０と打刻を誘導する長方形１１と図１と図３のガイド板のずれを防ぐための留め具を差し込む穴１２を切り取り、シールのずれを防ぐ留め具を差し込む突起物を固定するための穴１３を切り取る。
【００１８】  図４は、本考案の８点シール用点字打刻機の点字板とガイド板の合体時を示している。
【００１９】  図５は、別の本考案の６点シール用点字打刻機の点字板とガイド板の合体時を示している。
【００２０】  図６は、本考案のシール用点字打刻機のシールの製作方法を示している。
剥離紙を持つシール材シール１を光ディスク媒体の直径より短い直径で外周円１４と、中心に直径１５ｍｍの円１５をカットＢする方法を示している。
【符号の説明】
【００２１】  １：円形にカットする部分、２：打刻する点、３：８点、４：留め具を差し込む穴、５：突起物を差し込むための穴、６：円形にカットする部分、７：誘導する長方形、８：ガイド版のずれを防ぐための留め具を差し込む穴、９：シールのずれを防ぐ留め具を差し込む突起物を固定するための穴、１０：円形にカットする部分、１１：誘導する長方形、１２：ガイド版のずれを防ぐための留め具を差し込む穴、１３：シールのずれを防ぐ留め具を差し込む突起物を固定するための穴、１４：外周円、１５：円、Ａ１：板材、Ａ２：板材、Ａ３：板材、Ｂ：ハーフカットまたはカット、シール１：剥離紙を持つシール材、１拡大図：３と７を指す部分の拡大、２拡大図：１１を指す部分の拡大
【手続補正書】
【提出日】平成30年6月27日(2018.6.27)
【手続補正１】
【補正対象書類名】実用新案登録請求の範囲
【補正対象項目名】全文
【補正方法】変更
【補正の内容】
【実用新案登録請求の範囲】
【請求項１】
板材を円形にカットし、片面に於いてその外周より内側に、横２点縦４点計８点の凹部を有する点字板にあって、その横２点縦４点計８点は６０個配置され、横２点縦４点計８点は板材の中心に向き、８点で使用する場合、１の点は左最上部とし、５の点は右最上部となり、漢点字を現すことが可能であり、６点で使用する場合、１の点は左上部より１つ下の点とし、４の点は右上部より１つ下の点として現すことが可能なことを特徴とするシール用点字打刻機。
【請求項２】
請求項１の横２点縦４点計８点を明確にするために縦長の長方形を点字板の凹部に合わせて６０個切り抜いた前記点字板と同サイズの円形の板を重ね合わせる事で横２点縦４点計８点の打刻位置を誘導するガイド板を併せ持つことを特徴とする請求項１のシール用点字打刻機。
【請求項３】
前記ガイド板と前記点字板が１か所で留められており、散乱せず左右にスライドさせることと、前記ガイド板と前記点字板のずれを防止することを特徴とする請求項２のシール用点字打刻機。
【請求項４】
請求項１の点字板と請求項２のガイド板に合う同サイズで円形にカットしたシールを用い、光ディスク媒体の表面全体に貼り付けるためのシール用点字打刻機。
【手続補正書】
【提出日】平成30年9月13日(2018.9.13)
【手続補正１】
【補正対象書類名】実用新案登録請求の範囲
【補正対象項目名】全文
【補正方法】変更
【補正の内容】
【実用新案登録請求の範囲】
【請求項１】
板材を円形にカットし、片面に於いてその外周より内側に、横２点縦４点計８点の凹部を有する点字板にあって、前記横２点縦４点計８点は円周上に６０個配置され、前記横２点縦４点計８点は板材の中心に向き、８点で使用する場合、１の点は左最上部とし、５の点は右最上部となり、漢点字を現すことが可能であり、６点で使用する場合、１の点は左上部より１つ下の点とし、４の点は右上部より１つ下の点として現すことが可能なことを特徴とするシール用点字打刻機。
【請求項２】
前記横２点縦４点計８点を明確にするために、縦長の長方形を点字板の凹部に合わせて円周上に６０個切り抜いた前記点字板と同サイズの円形の板を重ね合わせる事で前記横２点縦４点計８点の打刻位置を誘導するガイド板を併せ持つことを特徴とする請求項１記載のシール用点字打刻機。
【請求項３】
前記ガイド板と前記点字板が１か所で留められており、散乱せず左右にスライドさせることと、前記ガイド板と前記点字板のずれを防止することを特徴とする請求項２記載のシール用点字打刻機。
【請求項４】
前記点字板と前記ガイド板に合う同サイズで円形にカットしたシールを用い、前記シールを光ディスク媒体の表面全体に貼り付けることを特徴とする請求項２または３記載のシール用点字打刻機。
【手続補正２】
【補正対象書類名】明細書
【補正対象項目名】０００８
【補正方法】変更
【補正の内容】
【０００８】  本考案は、上記の課題を解決するために、下記のシール用点字打刻機を提供するものである。
（１）板材を円形にカットし、片面に於いてその外周より内側に、横２点縦４点計８点の凹部を有する点字板にあって、前記横２点縦４点計８点は円周上に６０個配置され、前記横２点縦４点計８点は板材の中心に向き、８点で使用する場合、１の点は左最上部とし、５の点は右最上部となり、漢点字を現すことが可能であり、６点で使用する場合、１の点は左上部より１つ下の点とし、４の点は右上部より１つ下の点として現すことが可能なことを特徴とするシール用点字打刻機。
（２）  前記横２点縦４点計８点を明確にするために、縦長の長方形を点字板の凹部に合わせて円周上に６０個切り抜いた前記点字板と同サイズの円形の板を重ね合わせる事で前記横２点縦４点計８点の打刻位置を誘導するガイド板を併せ持つことを特徴とする請求項１記載のシール用点字打刻機。
（３）  前記ガイド板と前記点字板が１か所で留められており、散乱せず左右にスライドさせることと、前記ガイド板と前記点字板のずれを防止することを特徴とする請求項２記載のシール用点字打刻機。
（４）  前記点字板と前記ガイド板に合う同サイズで円形にカットしたシールを用い、前記シールを光ディスク媒体の表面全体に貼り付けることを特徴とする請求項２または３記載のシール用点字打刻機。